(57)【要約】      （修正有）【課題】色彩豊かな図柄を写実的に表現可能な写真風織物の製識方法を提供する。【解決手段】写真等を画像入力手段により光学的に読み取り、フルカラー画像データとして、タオル織機のコンピュータに取り込む工程と、取り込まれたフルカラー画像データをＣＭＹＫに白を加えた色分解する工程と、使用するタオル織機の色糸限定数の範囲内に減色する工程と、減色された色彩の糸を緯糸又は上糸に割り当て、擬似的にフルカラーの画像データを作成する工程と、タオル織機の色糸情報と縦方向密度情報を入力し、作成された織成データに従ってタオル織機を駆動させ、織物の柄の表現に必要な緯糸又は上糸を表面組織に配設し、表面組織に配設された緯糸又は上糸でフルカラー画像データと近似したフルカラーの写真風織物を織成する。【選択図】図２
2006219810.tif 000002
【特許請求の範囲】
【請求項１】
コンピュータ処理されたデータにより、タオル織機で織物の表側に表出した緯糸又は上糸で柄を織物に表現する写真風織物の製織方法において、
写真、絵画等を画像入力手段により光学的に読み取り、フルカラー画像データをして、解像度が使用するタオル織機のデータに対応してピクセル調整されたコンピュータに取り込む工程と、
取り込まれたフルカラーの画像データをＣＭＹＫに白を加えた色分解し、Ｃ、Ｍ、Ｙ、Ｋの夫々濃度差を白黒２階調のハーフトーン分解する工程と、
白黒に変換された４つの画像信号を統合し、使用するタオル織機の色糸限定数の範囲内に減色する工程と、
減色された色彩の糸を緯糸又は上糸に割り当て、擬似的にフルカラーの画像データを作成する工程と、
使用するタオル織機の色糸情報と縦方向密度情報をコンピュータに入力し、これらの情報に基づいて画像データを変換する工程とにより作成された織成データに従ってタオル織機を駆動させ、織物の柄の表現に必要な緯糸又は上糸を表面組織に配設し、該糸の裏側に柄表現に不必要な緯糸又は上糸を配設し、表面組織に配設された緯糸又は上糸でコンピュータに取り込まれたフルカラー画像データと近似したフルカラーの写真風織物を織成することを特徴とする写真風織物の製織方法。
【請求項２】
コンピュータ処理されたデータにより、タオル織機でタオル織物の表側又は／及び裏側に表出した経糸のパイル部分で色柄をタオル織物の毛中に表現する写真風織物の製織方法であって、
写真、絵画等を画像入力手段により光学的に読み取り、フルカラー画像データとして、解像度が使用するタオル織機のデータに対応してピクセル調整されたコンピュータに取り込む工程と、
取り込まれたフルカラーの画像データをＣＭＹＫに白を加えた色分解し、Ｃ、Ｍ、Ｙ、Ｋの夫々の濃度差を白黒２階調のハーフトーン分解する工程と、
白黒に変換された４つの画像信号を統合し、使用するタオル織機の色糸限定数の範囲内に減色する工程と、
減色された色彩の糸を経糸に割り合て擬似的にフルカラーの画像データを作成する工程と、
使用するタオル織機の色糸情報と横方向密度情報をコンピュータに入力し、これらの情報に基づいて画像データを変換する工程とにより作成された織成データに従ってタオル織機を駆動させ、タオル織物の表側又は／及び裏側に織物の柄の表現に必要な経糸でパイルを形成し、柄表現に不必要な経糸はパイルを形成せず、経糸のパイル部分でコンピュータに取り込まれたフルカラー画像データと近似したフルカラーの写真風織物を織成することを特徴とする写真風織物の製織方法。
【発明の詳細な説明】
【技術分野】
【０００１】  本発明は写真等から光学的に読み取ったフルカラーの画像データと略同様に、色彩豊かな図柄をタオル織機を用いて写実的に表現することのできる写真風織物の製織方法に関する。
【背景技術】
【０００２】  従来、Ｒ（赤）Ｇ（緑）Ｂ（青）分解＋特色若しくはＣ（シアン）Ｍ（マゼンダ）Ｙ（イエロー）Ｂ（ブラック）分解＋特色を使用することで擬似的に色が混合したようにし、恰も写真のように見える柄を織成する方法としては、特許文献１、２、３、４、５、６又は７記載の発明が提案されている。しかしながら、これらの発明はパンチングカード枚数との関係や、線形補間法や最近傍法を用いていないため、タオル織機で織成不可能で、又、タオルのような糸太番手を使用して織成すると、手で織物を取れる距離では写真織物に見えず、単に色糸が入り組んで織成されているように見える。輪郭周囲に輪郭内側部と同じ織り組織を入れることになるので糸太番手を用いると、輪郭が明白にならない。上記織成方法は、ネクタイ等の糸細番手を用いて高密度織機で織成する方法であって、この方法をタオル織機で節約織りをするとタオル織機の構造上、タオル織機の機種によっては停止し稼動しない場合がある。【０００３】  タオル織物は、糸太番手を使用して低密度に織成されていなければタオルとしての機能を有さない。タオル織物には、吸水性、ソフトな肌触り及び柔軟性の機能が最低限必要不可欠であり、これらのうちの何れかを欠落すればタオルとしての機能を果たさない。仮に、糸細番手で織成されたタオル織物であると、ソフトな風合や吸水性に欠ける。又、高密度に織成されたタオル織物であると、ゴワゴワとした堅く重量のあるタオル織物となり柔軟性に欠け、又、高密度であることは糸の消費量が多いことを意味し、製品のコスト高を招来しタオル織物の機能を満足しないためである。安価で柔軟性、吸水性及び良好な肌触りを有する高品質のタオル織物であるためには、太番手糸を用いて低密度で織成されている必要性があり、高密度のタオル織物はタオルとして不適である。
糸太番手織物の場合、少なくとも人が手に取って製品を見る距離で見ると、ＲＧＢ分解やＣＭＹＫ分解で作成しても、糸の番手が太すぎるためＲ、Ｇ、Ｂ或はＣ、Ｍ、Ｙ、Ｋとして使用した色糸がそのままの色で明瞭に視認される。例えば、液体染料で紫色を表現する場合、ＲとＢ又はＣとＭを混合すれば目的の色を表現できるが、糸は液体染料のように混合されて別の色を生成するということはない。赤色の糸は赤色のまま、青色の糸は青色のままで、単に赤色糸と青色糸が入り組んで織り込まれているようにしか視認できない。従来、糸太番手の織物で写真織物が存在しなかったのは、このような理由による。
そのため、タオル織物のボーダ部に写真風の柄を形成するために、ボーダ部を合成フィラメント糸のみを露出したフラット面に形成し、この合成フィラメント糸のみよりなるフラット面に昇華プリントを施したものが存在する（例えば、特許文献８又は実用新案文献１参照）。
上記昇華プリントが施されたタオル織物は、タオル織物の一部に吸水性の著しく悪い面を有することなり、又、タオル織物織成後に、昇華転写プリント工程を有し、設備面で非経済的であるという欠点を有していた。【０００４】  ところで、紙の写真製版作成方法はＲＧＢ若しくはＣＭＹＫ分解を合成し、恰も写真の如く人の目に写すようにしている。
緯糸のみでボーダー部にフルカラータオルを作成する場合は、現在のタオル織機に関しては、経糸６色、下糸２色の合計８色、又は８色の緯糸を使用し合計１０色でタオル織物に柄を織成し描出するようにしている。又、緯糸６色＋経糸＋下糸の合計８色でタオル織物を織成し、上糸と下糸を色糸の数に数えてしまうと、パイルに上糸と下糸が表出し、タオル織物のパイル部の色が限定されてしまうため、ボーダを作成する場合はパイルの経糸及び下糸は色数として数えない。現在市販のタオル織機は構造上、８色迄のみの使用となり、写真を自然な色彩に見えるようにするために必要なＲ、Ｇ、Ｂの夫々６ビットに相当する理論上２６２，１４４色以上の色数を表現することは不可能である。これは経糸でフルカラータオルを織る場合にも表現可能な色数は制限されてしまう。
【特許文献１】特表２００４−５０９２４４号公報
【特許文献２】特開２００２−３０２８４３号公報
【特許文献３】特開２００１−２２６８４８号公報
【特許文献４】特開２０００−２１２８５０号公報
【特許文献５】特開平１１−２５６４４８号公報
【特許文献６】特開平７−２１６６８２号公報
【特許文献７】特開２００３−２０１６４５号公報
【特許文献８】特開２０００−１７８８８６号公報
【実用新案文献１】
実用新案登録第３０５９９５０号の実用新案公報
【発明の開示】
【発明が解決しようとする課題】
【０００５】  本願発明は、フルカラー写真、図柄等を、Ｃ系統、Ｍ系統、Ｙ系統、Ｋ系統及び白の５色の色糸、或はＣ系統、Ｍ系統、Ｙ系統、Ｋ系統、紺系統，赤系統、緑系統及び白の８色の色糸でタオル織物のボーダ部分や毛中に表現するものである。
【課題を解決するための手段】
【０００６】  請求項１記載の発明は、コンピュータ処理されたデータにより、タオル織機で織物の表側に表出した緯糸又は上糸で柄を織物に表現する写真風織物の製織方法において、写真、絵画等を画像入力手段により光学的に読み取り、フルカラー画像データとして、解像度が使用するタオル織機のデータに対応してピクセル調整されたコンピュータに取り込む工程と、取り込まれたフルカラーの画像データをＣＭＹＫに白を加えた色分解し、Ｃ、Ｍ、Ｙ、Ｋの夫々の濃度差を白黒２階調のハーフトーン分解する工程と、白黒に変換された４つの画像信号を統合し、使用するタオル織機の色糸限定数の範囲内に減色する工程と、減色された色彩の糸を緯糸又は上糸に割り当て、擬似的にフルカラーの画像データを作成する工程と、使用するタオル織機の色糸情報と縦方向密度情報をコンピュータに入力し、これらの情報に基づいて画像データを変換する工程とにより作成された織成データに従ってタオル織機を駆動させ、織物の柄の表現に必要な緯糸又は上糸を表面組織に配設し、該糸の裏側に柄の表現に不必要な緯糸又は上糸を配設し、表面組織に配設された緯糸又は上糸でコンピュータに取り込まれたフルカラー画像データと近似したフルカラーの写真風織物を織成することを特徴とする。
請求項２記載の発明は、コンピュータ処理されたデータにより、タオル織機でタオル織物の表側又は／及び裏側に表出した経糸のパイル部分で色柄をタオル織物の毛中に表現する写真風織物の製織方法であって、写真、絵画等を画像入力手段により光学的に読み取り、フルカラー画像データとして、解像度が使用するタオル織機のデータに対応してピクセル調整されたコンピュータに取り込む工程と、取り込まれたフルカラーの画像データをＣＭＹＫに白を加えた色分解し、Ｃ、Ｍ、Ｙ、Ｋの夫々の濃度差を白黒２階調のハーフトーン分解する工程と、白黒に変換された４つの画像信号を統合し、使用するタオル織機の色糸限定数の範囲内に減色する工程と、減色された色彩の糸を経糸に割り合て、擬似的にフルカラーの画像データを作成する工程と、使用するタオル織機の色糸情報と横方向密度情報をコンピュータに入力し、これらの情報に基づいて画像データを変換する工程とにより作成された織成データに従ってタオル織機を駆動させ、タオル織物の表側又は／及び裏側に織物の柄の表現に必要な経糸でパイルを形成し、柄の表現に不必要な経糸はパイルを形成せず、経糸のパイル部分でコンピュータに取り込まれたフルカラー画像データと近似したフルカラーの写真風織物を織成することを特徴とする。
【発明の効果】
【０００７】  限定された色数で、多色の表現を行うことができるという効果がある。
太番手の糸で低密度に織成しても、近距離で写真のような図柄に見えるタオル織物を提供できるという効果がある。
タオルのボーダー部のみならず、毛部分においても経糸のパイルで写真風織物を織成できるという効果がある。
【発明を実施するための最良の形態】
【実施例１】
【０００８】  写真、色彩を有する図柄等をカラースキャナ等の画像入力装置により読み取り、コンピュータにフルカラーのデジタル画像データとして取り込む。画像データ取り込みの場合、ピクセルと使用するタオル織機の紋丈及び紋口との関係を関連づけるピクセル調整を行う必要がある。つまり、１ピクセルを糸の上と落のデータとしてとらえ、ピクセルの存在するところは糸の組織も存在すると設定し、解像度は使用するタオル織機のデータに対応するようにピクセル調整を行なう。ピクセル調整を行わない場合、写真の網点を調整しても網点は織機データとしては消去され、又、網がけを行うことで擬似的なグラディエーションを作成している部分が消去されてしまうという理由による。【０００９】  取り込まれたフルカラーの画像データをＣＭＹＫの色分解を行なう。ＣＭＹＫの色分解は周知の方法であるので詳細な説明は省略する。フルカラーの画像データをＣＭＹＫに白を加えた色分解し、Ｃ（シアン）、Ｍ（マゼンダ）、Ｙ（黄）、Ｋ（黒）の各色の濃度差を白黒に変換する。このハーフトーン分解は、特開２００４−１２０４８８号公報記載のディザマスクを用いた画像変換方法等を用いても同様のハーフトーンを得ることができる。ＪＡＧＡＴ社会法人日本印刷教会の解説によると、印刷に最適な白黒２階調の画像を得るには、網角をＣを１５度、Ｍを７５度、Ｙを０度、Ｋを７５度に設定するとよいとある。これは印刷時のモアレを最も少なくする角度設定である。タオル製織の場合は、意図的に同色のピクセルが横に並びやすい角度を設定し、その設定角度による分解を行う。ハーフトーンはＣ、Ｙ、Ｍ、Ｋの夫々の色の濃淡を表示した画像である。つまり、白黒に変換されたＣ、Ｍ、Ｙ、Ｋの４つの画像を同一画素値が定義された複数の隣接されたピクセル群となる白黒２階調のハーフトーンに変換する。【００１０】  作成されたＣ、Ｍ、Ｙ、Ｋの各白黒２階調画像信号をＣ、Ｍ、Ｙ、Ｋのチャンネルに割り当て、統合する。統合された画像データは、Ｃ系統、Ｍ系統、Ｙ系統、Ｋ系統、紺系統、赤系統、緑系統及び白の８色の系統に減色される。
タオル織機が、色糸を８色で製織する場合はこの段階で上記の色系統に最も近似する色糸を８色選ぶことでタオルを製織する。タオル織機が色糸を５色以内でしかタオル織物を製織できない機械である場合は、更に紺系統をＣ、Ｍに、赤系統をＭ、Ｙに、緑系統をＹ、Ｃに、白と黒の中間系統色は、黒又は白に割り当てることで、完全に５色に色分解され、使用する色糸が５色に限定された分解画像データが作成される。【００１１】  次に製織データの作成を行う。
画像データは縦横のピクセル数と織機データであるＣＧＳの紋丈、紋口が、横ピクセル数＝紋口、縦のピクセル数＝紋丈の関係にあり、画像データを紋口数と紋丈数を織成する織物のサイズに合わせる。この場合、縦の紋丈数は、カード枚数に応じて作成する。まず、紋丈数を決定するためにメートルの作成を設定する。メートルとは抒替えの情報、つまり緯色糸情報と縦１インチ間の糸密度及び単動若しくは節約の情報を埋め込むデータ領域を示す。メートル作成方法は、ＣＧＳ作成用ソフトにより異なるが、一般に次の方法で作成する。メートルの本数は織物の組織により変化するために必ずしも特定本数が定まらないが、例えば２色の平地部分を節約カードとして作成するときはメートルの本数は２本、３色の平地部分を節約カードとして作成するときはメートルは３本作成することが好適である。このとき、メートルの情報として抒替え情報を埋め込む。抒替え情報として埋め込まれるのは緯色糸の指定情報と縦方向の１インチ間の密度の情報である。Ｘ．ｌｅｎｇｔｈを画像データの縦方向のピクセル数、Ｎを織成する織物の長さ（単位：ｃｍ）、Ｐを織物の縦方向１インチ間の密度、Ｍを縮率とすると、Ｘ．ｌｅｎｇｔｈ＝（Ｎ÷２．５４）×ｐ×（１＋０．０１×Ｍ）の式が成立する。Ｘ．ｌｅｎｇｔｈは単動のピクセル数として計算され、単動のタオル織機を用いる場合は、上記Ｘ．ｌｅｎｇｔｈの値を節約タオル織機を用いる場合は使用する色数で割った値を節約のデータとして換算される。図１は５色の緯糸を表面に織り出した繻子織の密度を高める前の表面図、図２は赤色糸１、青色糸２、イエロー色糸３、黒色糸４、白色糸５の密度を高めた状態の表面図である。５色の糸のうちの赤色糸１以外の４色の糸は裏に隠れ、赤色糸１の１色の糸のみが表出し表側は恰も赤色糸１の１色の糸しか見えないようにする必要性があり、各糸が表に出る確率は１／５ということになる。つまり、画像データの解像度はそのままで、縦方向ピクセル数（紋丈）のみ１／５に縮小するようになる。６は経糸、７は留め糸である。
一般にある点（ｘ，ｙ）が縮小又は拡大され（Ｘ，Ｙ）に位置変更する場合にはＸ＝ａｘ、Ｙ＝ｂｙの関係が成立する。拡大又は縮小を行う場合は、この工程において線形補間法が用いられる。ａ＜１及びｂ＜１の場合は縮小になり、ａ＞１及びｂ＞１の場合は拡大になる。すべての画素点にＸ＝ａｘ，Ｙ＝ｂｙの公式が用いられ、出力画面上の点（Ｘ，Ｙ）の濃度値に入力画面上（ｘ，ｙ）の濃度値を書き込む。縮小の場合、配列した緯糸の中間に位置する色が削除される場合がある。例えば、図３に示す出力画面の図案を１／５に縮小すると、図４に示すように上下両端の赤色１４と青色１５のみが残ってしまうという不具合が生じる。これを解決するために、線形補完法と同時に最近傍法を用い、四捨五入して画面上の座標（Ｘ，Ｙ）に最も近い格子点を選ぶ。【００１２】  本願発明は織物の表側に表出する緯色糸を上げとして組織を組み込み、その他の緯色糸は裏側に隠してしまうが、網点や濃淡が明白でない部分は、分解段階がドットが消えないようにドットの周囲にさらに異なる組織、つまり通常は上げ組織を入れることで、先の特色分解が消えないように組織を組み込む。例えば、図５のように、黒部分で経糸を表出して緯糸を留めるが、青色の緯糸の組織部分８と赤色の緯糸の組織部分９との境界部分１０の黒部分１１を除去し、図６に示すように右側部分は、右側部分の色と同色の緯糸を表側に出し、左側部分は左側部分の色と同色の緯糸を表側に出して留め糸である経糸を下に隠して、夫々上げ組織１２、１３を入れることで色彩等の境界を明瞭にする。
【実施例２】
【００１３】  写真等をコンピュータに画像データとして取り込み、ハーフトーンに変換する工程は、実施例１と全く同じであるので説明を省略する。【００１４】  毛中の部分は経糸１６と下糸１７、緯糸１８で構成され、下糸はパイルを作成するために経糸を引っぱる用途をなし、経糸はパイルを形成し、緯糸はパイルすなわち経糸と下糸を留める役目を果たす。経糸はＣ、Ｍ、Ｙ、Ｋ及び白の５色で構成し、５色毛違い織りをする。もっとも効率のよい写真製版パイル組織を作成するためにはＣ、Ｍ、Ｙ、Ｋ、白＋特色数色を使用すべきであるが、特色が増えると増えただけ、６色毛違い、７色毛違いとなり、横方向のオサ密度が増えないと、非常に荒くなってしまい、製品としてはあまり品質のよいものに仕上がらない。例えば、５色毛違いで白を表面にパイルとして出すには、パイル表面が横方向にＣ（落ち）、Ｍ（落ち）、Ｙ（落ち）、Ｋ（落ち）、白（上げ）とする。Ｃを表面にパイルとして出すには、図７に示す通り、Ｃ（上げ）、Ｍ（落ち）、Ｙ（落ち）、Ｋ（落ち）、白（落ち）という構成に織成する。本実施例では、表に出るパイルは１／５であり、横方向のオサ密度は高密度であればあるほどよい。これは、６色毛違いであれば当然パイルの表面に出る範囲が１／６となるため、さらにオサを高密度にする必要がある。こうして作成されたものは５色毛違いであれば、経糸のみでＣＭＹＫ＋白の５色のみで写真のような多色のパイル製品を作成することが可能である。【００１５】  このようにして、緯糸にＣＭＹＫ白の色糸を使うことでタオルボーダー部に、経糸にＣＭＹＫ白の色糸を使うことで、タオルパイル部にプリントをせずしてタオルのすべての部分にて写真製版の表現が可能となった。
【図面の簡単な説明】
【００１６】
【図１】密度を高める前の表面図である。（実施例１）
【図２】密度を高めた後の表面図である。（実施例１）
【図３】入力画面である。（実施例１）
【図４】出力画面である。（実施例１）
【図５】境界部分の留め用経糸を黒い部分で説明した図である。（実施例１）
【図６】異なる上げ組織を入れた説明図である。（実施例１）
【図７】組織図である。（実施例２）
【図１】
2006219810.tif 000003
【図２】
2006219810.tif 000004
【図３】
2006219810.tif 000005
【図４】
2006219810.tif 000006
【図５】
2006219810.tif 000007
【図６】
2006219810.tif 000008
【図７】
2006219810.tif 000009